(57)【要約】      （修正有）【課題】ダボ穴周辺を変形することなく、収納空間を狭めずに収納棚の内壁に懸架することが可能な転び止め具を提供する。【解決手段】棒体１０と、棒体１０を収納棚の内壁間に懸架する一対の棒体支持部材２０、２０と、を備えてなり、棒体支持部材２０、２０は、棒体１０、１０の端部を差し込んで嵌合する棒体受部２１と、収納棚の内壁に形成された係合穴に係合する係合突起３０を嵌合する係合突起支持部２２と、棒体受部２１の収納棚の内壁に当接する内壁当接部２３と、を有するものである。【選択図】図１
2020182653.tif 000002
【特許請求の範囲】
【請求項１】
棒体と、該棒体を収納棚の内壁間に懸架する一対の棒体支持部材と、を備えてなり、前記棒体支持部材は、前記棒体の端部を差し込んで嵌合する棒体受部と、前記収納棚の内壁に形成された係合穴に係合する係合突起を嵌合する係合突起支持部と、前記棒体受部に形成される前記収納棚の内壁に当接する内壁当接部と、を有することを特徴とする転び止め具。
【請求項２】
係合突起支持部は、棒体受部と所定長さの連結部により連結され、一対の係合突起支持部間の中心軸に対して所定の回転半径で回動しうる位置に棒体を配置させることを特徴とする請求項１記載の転び止め具。
【請求項３】
一対の棒体受部は、内部に棒体を挿入する差込孔を有し、前記棒体の端部の端面と前記差込孔の内底面との間に弾性部材が配設され、前記内底面に前記弾性部材を係合する係合部を有することを特徴とする請求項１記載の転び止め具。
【請求項４】
内壁当接部は、棒体受部の外側面に形成されるものであって、収納棚の内壁と棒体支持部材との間に摩擦抵抗を生じさせ得る複数の周突起を有することを特徴とする請求項１記載の転び止め具。
【請求項５】
内壁当接部は、棒体受部内に配設された弾性部材を視認し得るように貫通した覗き穴を有することを特徴とする請求項１又は４のいずれか一項に記載の転び止め具。
【請求項６】
弾性部材は、棒体の端部を受けるための棒体受片を備え、前記棒体受片は、中央が窪んだ湾曲面状の当接部を有することを特徴とする請求項３記載の転び止め具。
【発明の詳細な説明】
【技術分野】
【０００１】
本発明は、洗面化粧台や食器棚、書架等の収納棚に取り付けることで収納物の落下や飛び出し等を防止する転び止め具に関する。
【背景技術】
【０００２】
従来、洗面化粧台や食器棚、書架等の収納棚に転び止め具を後付けして落下を防止するために、棚板の表面に設けられた穴に柵を直接固定するものや、収納棚の内壁に棚板の位置や枚数を調整するためのダボ穴を利用して棒状体を懸架するものが知られている。
【０００３】
例えば、特許文献１に係る発明は、収納部１０の対向する両側の内壁１５、１５に架け渡されるように配設される棒状体２０と、該棒状体２０を支持する一対の支持体２２、２２と、からなる棒状懸架具２が提案されている。
【先行技術文献】
【特許文献】
【０００４】
【特許文献１】特開２０１４−１８２１８号公開公報
【発明の概要】
【発明が解決しようとする課題】
【０００５】
しかしながら、上述した特許文献１に係る発明は、収納棚の内壁のダボ穴に係合させて懸架するものであるため、落下等を防止するための効果を発揮するために強力な弾性を備えたバネを必要とし、その一方で、該バネの弾性力によって生じる抗力によってダボ穴が変形して棒状体が脱落するおそれがある。また、収納棚の内壁に設けられたダボ穴は棚板を支持するように内壁の中央よりに位置し、それに伴って棒状体を収納空間の中央寄りに懸架して収納空間をより一層狭めてしまう欠点がある。
【０００６】
上述した欠点を鑑み、本発明は、棚板の表面に柵を固定するための穴を設けることなく、収納空間を狭めずに収納棚の内壁の係合穴（ダボ穴）を利用して棒体を懸架することができるとともに、ダボ穴周辺の変形を防止することが可能な転び止め具を提供することを目的とする。
【課題を解決するための手段】
【０００７】
本発明の転び止め具は、上記課題に鑑み、棒体と、該棒体を収納棚の内壁間に懸架する一対の棒体支持部材と、を備えてなり、前記棒体支持部材は、前記棒体を支持する棒体受部と、前記収納棚の内壁に形成された係合穴に係合する係合突起を受けるための係合突起支持部と、を有することを特徴とするものである。
【０００８】
また、上述した構成に加え、係合突起支持部は、棒体受部と所定長さの連結部により連結され、一対の係合突起支持部間の中心軸に対して所定の回転半径で回動しうる位置に棒体を配置させることが好ましい。
【０００９】
また、上述した構成に加え、一対の棒体受部は、内部に棒体を挿入する差込孔を有し、前記棒体の端部の端面と前記差込孔の内底面との間に弾性部材が配設され、前記内底面に前記弾性部材を係合する係合部を有することが好ましい。
【００１０】
また、上述した構成に加え、内壁当接部は、棒体受部の外側面に形成されるものであって、収納棚の内壁と棒体支持部材との間に摩擦抵抗を生じさせ得る複数の周突起を有することが好ましい。
【００１１】
また、上述した構成に加え、内壁当接部は、棒体受部内に配設された弾性部材を視認し得るように貫通した覗き穴を有することが好ましい。
【００１２】
また、上述した構成に加え、弾性部材は、棒体の端部を受けるための棒体受片を備え、前記棒体受片は、中央が窪んだ湾曲面状の当接部を有することが好ましい。
【発明の効果】
【００１３】
請求項１−６記載の発明によれば、転び止め具の高さを自在に調整しながら収納スペースを狭めることなく棒体を懸架することができるとともに、弾性体によって生じる抗力が生じる位置と係合穴の位置とを異ならせることで係合穴周辺の負荷を軽減することができる転び止め具を提供すること可能である。
【図面の簡単な説明】
【００１４】
【図１】本発明の実施形態の転び止め具の一例を示す斜視図である。
【図２】図１の転び止め具の棒体支持部材周辺を示す側面図である。
【図３】図１の棒体支持部材周辺の長手方向の拡大断面図である。
【図４】本実施形態の転び止め具を収納棚に設置した状態を示す概念図である。
【発明を実施するための形態】
【００１５】
（実施形態）
本発明の実施形態の一例について図１−４に基づいて詳細に説明する。
【００１６】
転び止め具１は、略円柱状の棒体１０と、棒体１０を収納棚５０の内壁５１、５１間に懸架する一対の棒体支持部材２０、２０と、を備えてなるものである。
【００１７】
棒体支持部材２０、２０は、一対のものであり、棒体１０の両端部を内部の差込孔２１ａに差し込んで嵌合する棒体受部２１、２１と、収納棚５０の内壁５１に形成された係合穴５２、５２に係合する係合突起３０、３０を嵌合する係合突起支持部２２、２２と、棒体受部２１、２１の収納棚５０の内壁５１、５１に当接する内壁当接部２３、２３と、からなるものである。
【００１８】
棒体受部２１は、棒体１０を嵌合し得るように開口した略円筒形状に形成され、棒体１０の端部を差し込むための差込孔２１ａと、内壁５１、５１間に棒体１０を押し返して突っ張らせるために、棒体１０の端面１１、１１と差込孔２１ａ内の内底面２１ｄとの間に復元力を有する弾性部材４０が配設されるものである。この差込孔２１ａ内の内底面２１ｄには、弾性部材４０を係合保持するための係合部２１ｂが設けられている。
【００１９】
この弾性部材４０が弦巻バネの場合には、この係合部２１ｂは略円柱状体に形成され、該円柱状体の周面に弾性部材４０を係止する突出片２１ｃを有するものである。また、差込孔２１ａの係合部２１ｂに係合した状態において、弾性部材４０の先端が差込孔２１ａ外に若干露出する程度の自然長を有し、その弾性部材４０の先端には、棒体１０の端部を受けるための棒体受片４１を備えるものである。この棒体受片４１は、中央が窪んだ湾曲面状の当接部４１ａと、弾性部材４０と嵌合する二股状の嵌合部４１ｂと、を有するものである。この当接部４１ａによって、棒体１０の端部が丸みを帯びたものであっても、棒体１０の中心軸を棒体受片４１の当接部４１ａの中央付近に位置合わせした状態から外れずに、弾性部材４０全体が偏らずに伸縮するように変形させながら、棒体１０を棒体受部２１、２１に差し込みやすくするものである。
【００２０】
係合突起支持部２２は、収納棚５０の内壁５１、５１に形成された棚板５３を設置するための係合穴５２、５２に差し込み可能な係合突起３０を嵌合して支持するように形成されるものである。また、この係合突起支持部２２は、所定長さの連結部２６を介して棒体受部２１に連結されている。この連結部２６により、一対の係合突起支持部２２、２２間（係合突起３０、３０間）の中心軸方向に対して所定の回転半径で棒体１０が回動し得るように一対の棒体受部２１、２１間の中心軸方向が離れ、棒体１０の中心軸方向及び係合突起支持部２２、２２の中心軸方向が平行に配置されるものである。この連結部２６の所定長さ（所定の回転半径）は、例えば、収納棚５０の内壁５１、５１に形成された係合穴５２、５２のピッチが約５０から６０mｍ程度の場合、その半分である約２５から３０ｍｍ程度が好ましい。
【００２１】
係合突起３０は、金属材（ステンレス等）や木材を主体として形成される棒状の小片（いわゆるダボ）であり、これを嵌合し得るように係合突起支持部２２を開口した略円筒体に形成し、係合突起支持部２２に係合突起３０を嵌合した状態からの抜けを防止するための鍔部３１を有している。
【００２２】
内壁当接部２３は、略円筒状の棒体受部２１、２１の外側面２３ａに形成されるものである。この外側面２３ａは、収納棚５０の内壁５１、５１と棒体支持部材２０との間に適度の摩擦抵抗を生じさせ得る複数の周突起２４、２４を有するものであり、この周突起２４、２４は、３重の円弧を同心とするものとして、半径の大きい順から第一の周突起２４ａ、第二の周突起２４ｂ、及び、第三の周突起２４ｃとする。また、中間の径を有する第二の周突起２４ｂは、転び止め具１の回動方向に対して隙間を有するように一部切り欠いた上下に位置する円弧状とすることで、第三の周突起２４ｃと同じ程度の接触面積にすることで、第三の周突起２４ｃと同程度の摩擦抵抗を発生させ得るようにすることが好ましい。
【００２３】
また、この内壁当接部２３は、最も径の大きい第一の周突起２４ａから中間の径の第二の周突起２４ｂとの間に棒体受部２１内に配設された弾性部材４０を視認し得るように貫通した２つの覗き穴２５、２５を有するものである。
【００２４】
棒体１０は、収納棚５０の横幅の長さ以下の直線状の略円柱体、かつ、収納物Ａの落下や飛び出して衝突した際に変形しない程度の適度な耐久性を有するものであればよく、ステンレス等の金属材を主体として略円柱状又は略円筒状に形成され、その端部は棒体受部２１内に内包された弾性部材４０を伸縮させる端面１１を有するものである。
【００２５】
次に、上述した転び止め具１の取付方法について図４に基づいて詳細に説明する。この収納棚は、図４に示すように、上段及び下段の収納スペースを有するものであり、この２つの収納スペースに対して異なる角度で転び止め具１を取付けた状態を示すものである。
【００２６】
はじめに、転び止め具１の棒体受部２１、２１内に内包された弾性部材４０、４０を縮めた状態を維持したまま、係合突起３０、３０を収納棚の内壁の係合穴５２、５２に係合させた後、弾性部材４０、４０の復元力によって棒体１０の端部の端面１１、１１と棒体受部２１、２１内部の間を押し広げるようするとともに、棒体受部２１、２１の内壁当接部２３、２３を内壁５１、５１に当接させたものである。図４には、収納棚５０の上段において転び止め具１を棚板５３の上面に対して垂直に配置させるように取付けた状態、及び、収納棚５０の下段において転び止め具１を棚板５３の上面に対して水平に配置するように取付けた状態を示すものである。
【００２７】
したがって、この転び止め具１は、棚板５３の上面に対して所望の取付方向で棒体１０を懸架して転び止めとしての効果を発揮することが可能である。例えば、収納物Ａが高いものであれば、図４の収納棚５０の上段に示したように、棚板５３の上面に対して取付方向の垂直方向にして棒体１０を懸架して転び止めとすることが可能である。また、図４の収納棚５０の下段に示したように、収納物Ａが高くないが幅が大きいものであれば、収納スペースを大きくとれるように、棚板５３の上面に対して取付方向を水平方向手前側にして棒体１０を懸架することで、収納スペースを広く取りながら棒体１０を懸架する転び止めとすることが可能である。また、図示しないが、収納物Ａがあまり大きくないものであれば、なるべく転び止め具１を収納棚５０の内側に設置するように、収納棚５０の奥側に回動させた位置に棒体１０を懸架して転び止め具１とすることも可能である。
【００２８】
また、この転び止め具１は、この棒体支持部材２０の内壁当接部２３によって、内壁５１の係合穴５２、５２付近にかかる負荷を低減しながら棒体１０を懸架することが可能である。
【００２９】
上記の実施形態では本発明の好ましい実施形態を例示したが、本発明は上記の実施形態に限定されるものではなく、特許請求の範囲に記載した範囲内で改善や変更が可能である。例えば、棒体支持部材２０（あるいは内壁当接部２３）は、収納棚５０の内壁５１、５１と棒体１０を突っ張る状態に保持する程度の摩擦抵抗を有するものであればよく、ポリエチレン等の合成樹脂材を主体として形成してもよい。
【符号の説明】
【００３０】
1…転び止め具、
10…棒体、11…端面、
20…棒体支持部材、
21…棒体受部、21a…差込孔、21b…係合部、21c…突出片、21d…内底面、
22…係合突起支持部、
23…内壁当接部、23a…外側面、
24…周突起（24a…第一の周突起、24b…第二の周突起、24c…第三の周突起）、
25…覗き穴、
26…連結部、
30…係合突起、31…鍔部、
40…弾性部材、41…棒体受片、41a…当接部、41b…嵌合部、
50…収納棚、51…内壁、52…係合穴、53…棚板、
Ａ…収納物。
【図１】
2020182653.tif 000003
【図２】
2020182653.tif 000004
【図３】
2020182653.tif 000005
【図４】
2020182653.tif 000006